(57)【要約】【課題】  天井板の落下を確実に防止することができるトンネルの天井構造を目的とするものである。【解決手段】  トンネル１の上部に天井板２を設けて換気洞３を形成するトンネルの天井構造において、トンネル１の側壁に基端を固定し、上向き傾斜される左右の天井板２の先端を連結したものである。【選択図】図１
2014118742.tif 000002
【特許請求の範囲】
【請求項１】
トンネルの上部に天井板を設けて換気洞を形成するトンネルの天井構造において、トンネルの側壁に基端を固定し、上向き傾斜される左右の天井板の先端を連結したことを特徴とするトンネルの天井構造。
【請求項２】
天井板の先端を突き合わせたことを特徴とする請求項１に記載のトンネルの天井構造。
【請求項３】
天井板の連結部とトンネルの頂壁とを吊金具により連繋したことを特徴とする請求項1または２に記載のトンネルの天井構造。
【発明の詳細な説明】
【技術分野】
【０００１】
本発明はトンネル内の自動車排ガスを排気することができる換気洞を形成したトンネルの天井構造に関するものである。
【背景技術】
【０００２】
トンネルの上部を天井板で仕切り、トンネル上部と天井板間に換気洞を形成したものがある（例えば、特許文献１参照）。
【０００３】
特許文献１の天井板は波形に折り曲げて強度を高めた金属製のものとして、トンネルの上部に水平に張設し、天井板の両端をトンネルの側壁に固定している。
【０００４】
しかし、天井板は普通コンクリートで製作され、天井板を２枚連結したものを水平に張設している。しかし、天井板に要求される強度上、極めて厚く重量が1トンを超えるものとなる。このため、側壁に基端を固定した天井板の先端連結部をトンネル頂部と吊金具で繋いで荷重を受けるようにしている。ところが、経年変化によりコンクリートが劣化して吊金具のボルトが抜け落ちたり、地下水によりボルトが腐食して強度が低下したりすると、天井板の荷重を支えることができず天井板が落下するという問題がある。また、吊金具の点検作業は、暗く排ガスが充満する換気洞内で行わねばならず、点検が不十分となりやすいという問題がある。
【先行技術文献】
【特許文献】
【０００５】
【特許文献１】特開２００５−３６４５９号公報
【発明の概要】
【発明が解決しようとする課題】
【０００６】
本発明は天井板の落下を確実に防止することができるうえに、点検が容易なトンネルの天井構造を提供することを目的とするものである。
【課題を解決するための手段】
【０００７】
本発明は、トンネルの上部に天井板を設けて換気洞を形成するトンネルの天井構造において、トンネルの側壁に基端を固定し、上向き傾斜される左右の天井板の先端を連結したことを特徴とするトンネルの天井構造である。
【０００８】
なお、天井板の先端を突き合わせたり、天井板の連結部とトンネルの頂壁とを吊金具により連繋したりしてもよい。
【発明の効果】
【０００９】
本発明は、トンネルの上部に天井板を設けて換気洞を形成するトンネルの天井構造において、トンネルの側壁に基端を固定し、上向き傾斜される左右の天井板の先端を連結したことにより、天井板の荷重は略天井板の基端とトンネル側壁との取付部に加わることとなる。このため、従来のコンクリート製の天井板のように、先端連結部をトンネルの頂壁に吊金具などを用いて連繋する必要がない。このため狭い換気洞内での作業が不要となり、施工期間を短縮できるうえに、施工費用も低減できることとなる。しかも、最も荷重がかかる重要な点検個所は低所で目視ができるうえに照明もあるトンネルの側壁であるため、り、点検作業が容易、且つ確実に点検を実施できる。さらに、天井板の連結箇所は高所であるがかかる荷重が小さいので点検タイミングを長くすることができるうえに、点検をトンネル内からできるので作業も容易となる。
【００１０】
請求項２のように、天井板の先端を突き合わせたことにより、荷重は左右の天井板の連結箇所だけでなく、天井板の突き合わせ面でも受けることとなるので、耐震性が増しより的確に天井板の落下事故を防止することができる。
【００１１】
請求項３のように、天井板の突き合わせ連結部とトンネルの頂壁とを吊金具により連繋したことにより、地震等により、左右の天井板が中間部で折損した場合でも、天井板全体が落下することを防止できるので安全性がより高いものとなる。
【図面の簡単な説明】
【００１２】
【図１】本発明の第１の実施形態を示す断面図である。
【図２】同じく要部の拡大断面図である。
【図３】第２の実施形態を示す要部の拡大断面図である。
【図４】第３の実施形態を示す要部の拡大断面図である。
【発明を実施するための形態】
【００１３】
次に、本発明の第１の実施形態を図１、２に基づいて詳細に説明する。
１はトンネルであり、該トンネル１の上部には左右の天井板２で仕切られた換気洞３が形成されている。４は土台５に形成される排水管、６は路面である。
【００１４】
７は天井板２、２の基端をトンネル側壁に固定する取付金具、８は左右の天井板２の先端を連結する連結金具である。なお、第１の実施形態では図２に示すように、天井板２の先端は突き合わせ状態として、連結金具８だけではなく天井板２の先端突き合わせ面を密接させて天井板２の荷重を受けるようにして、連結金具８にかかる荷重を低減しているが、図３に示す第２の実施形態のように、天井板２の先端を突き合わせず間隙２ａを有するものとしてもよい。こうすることにより、地震等による振動により天井板２同士がぶつかり合って天井板２に圧縮応力が繰り返し作用して疲労破壊を起こすことを防止できる。
【００１５】
このようなトンネル１は、トラス構造状に組み合わされた左右の天井板２を並設してゆくことにより上部を仕切り換気洞３を形成し、該換気洞３を通じて通行する自動車の排ガスは排気され、新鮮な外気を取り込むことができる。
【００１６】
また、左右の天井板２は上向き傾斜されて、先端を突き合わせた連結したものとしているので、天井板２の荷重の大半は天井板２の基端とトンネル１の側壁とを固定する取付金具７に加わることとなるので、左右一対の天井板２の中央を支える必要はない。
【００１７】
このため、トンネル１の側壁の取付金具７のボルトを重点的に目視や打音検査を行えばよい。しかもこの点検作業は、トンネル１内の低所で、照明された環境下で行うため作業員の負担が少なく、確実に点検を行うことができる。また、比較的荷重のかからない連結金具８の通常の検査は遠望目視検査を行い。一定期間ごと目視または打音検査を行うものとする。
【００１８】
第３の実施形態は図４に示すように、天井板２の先端を連結する連結金具８を吊金具９を介してトンネル１の頂壁に連繋するものである。吊金具９は連結金具８に固着される支柱９ａと、トンネル１の頂壁に取付けた２本のＩボルト９ｂと、支柱９ａとＩボルト９ｂとを結ぶワイヤ９ｃとからなる。吊金具９により、天井板２の中央を吊下げることにより、天井板２が折損した場合、天井板２の全面的な落下を防止でき、より安全なものとなる。
【符号の説明】
【００１９】
１  トンネル
２  天井板
2a  間隙
３  換気洞
４  排水管
５  土台
６  路面
７  取付金具
８  連結金具
９  吊金具
9a  支柱
9b  Ｉボルト
9c  ワイヤ
【図１】
2014118742.tif 000003
【図２】
2014118742.tif 000004
【図３】
2014118742.tif 000005
【図４】
2014118742.tif 000006
【手続補正書】
【提出日】平成26年3月25日(2014.3.25)
【手続補正１】
【補正対象書類名】明細書
【補正対象項目名】０００７
【補正方法】変更
【補正の内容】
【０００７】
本発明は、トンネルの上部に天井板を設けて換気洞を形成するトンネルの天井構造において、トンネルの側壁に下側の基端を固定し、中央に向って上向き傾斜される左右の天井板の上部先端を連結したことを特徴とするトンネルの天井構造である。
【手続補正２】
【補正対象書類名】明細書
【補正対象項目名】０００９
【補正方法】変更
【補正の内容】
【０００９】
本発明は、トンネルの上部に天井板を設けて換気洞を形成するトンネルの天井構造において、トンネルの側壁に下側の基端を固定し、中央に向って上向き傾斜される左右の天井板の上部先端を連結したことにより、天井板の荷重は略天井板の下側の基端とトンネル側壁との取付部に加わることとなる。このため、従来のコンクリート製の天井板のように、先端連結部をトンネルの頂壁に吊金具などを用いて連繋する必要がない。このため狭い換気洞内での作業が不要となり、施工期間を短縮できるうえに、施工費用も低減できることとなる。しかも、最も荷重がかかる重要な点検個所は低所で目視ができるうえに照明もあるトンネルの側壁であるため、り、点検作業が容易、且つ確実に点検を実施できる。さらに、天井板の連結箇所は高所であるがかかる荷重が小さいので点検タイミングを長くすることができるうえに、点検をトンネル内からできるので作業も容易となる。
【手続補正３】
【補正対象書類名】明細書
【補正対象項目名】００１４
【補正方法】変更
【補正の内容】
【００１４】
７は天井板２、２の下側の基端をトンネル側壁に固定する取付金具、８は左右の天井板２の上部先端を連結する連結金具である。なお、第１の実施形態では図２に示すように、天井板２の先端は突き合わせ状態として、連結金具８だけではなく天井板２の先端突き合わせ面を密接させて天井板２の荷重を受けるようにして、連結金具８にかかる荷重を低減しているが、図３に示す第２の実施形態のように、天井板２の先端を突き合わせず間隙２ａを有するものとしてもよい。こうすることにより、地震等による振動により天井板２同士がぶつかり合って天井板２に圧縮応力が繰り返し作用して疲労破壊を起こすことを防止できる。
【手続補正４】
【補正対象書類名】明細書
【補正対象項目名】００１６
【補正方法】変更
【補正の内容】
【００１６】
また、左右の天井板２は中央に向って上向き傾斜されて、上部先端を突き合わせた連結したものとしているので、天井板２の荷重の大半は天井板２の基端とトンネル１の側壁とを固定する取付金具７に加わることとなるので、左右一対の天井板２の中央を支える必要はない。
【手続補正５】
【補正対象書類名】明細書
【補正対象項目名】００１８
【補正方法】変更
【補正の内容】
【００１８】
第３の実施形態は図４に示すように、天井板２の上部先端を連結する連結金具８を吊金具９を介してトンネル１の頂壁に連繋するものである。吊金具９は連結金具８に固着される支柱９ａと、トンネル１の頂壁に取付けた２本のＩボルト９ｂと、支柱９ａとＩボルト９ｂとを結ぶワイヤ９ｃとからなる。吊金具９により、天井板２の中央を吊下げることにより、天井板２が折損した場合、天井板２の全面的な落下を防止でき、より安全なものとなる。
【手続補正６】
【補正対象書類名】特許請求の範囲
【補正対象項目名】全文
【補正方法】変更
【補正の内容】
【特許請求の範囲】
【請求項１】
トンネルの上部に天井板を設けて換気洞を形成するトンネルの天井構造において、トンネルの側壁に下側の基端を固定し、中央に向って上向き傾斜される左右の天井板の上部先端を連結したことを特徴とするトンネルの天井構造。
【請求項２】
天井板の先端を突き合わせたことを特徴とする請求項１に記載のトンネルの天井構造。
【請求項３】
天井板の連結部とトンネルの頂壁とを吊金具により連繋したことを特徴とする請求項1または２に記載のトンネルの天井構造。